(57)【特許請求の範囲】
【請求項１】
隣接する被制御所間の区間毎に上りき電線及び下りき電線のき電許可テーブルと隣接する被制御所間の区間毎にき電要求テーブル及び前記被制御所に配置された機器の開閉状態を示す２値テーブルを含む内部テーブルを有し、前記２値テーブルにより前記機器の開閉制御を実行するとともに前記き電許可テーブル及びき電要求テーブルのＯＮ／ＯＦＦ状態により複数の制御所の目的制御を実行する
ことを特徴とする鉄道電力管理装置。
【請求項２】
前記鉄道電力管理装置が制御指令を受けたとき、前記２値テーブルから該当する被制御所の系統状態を判断し、加圧できる条件が成立しているとき、もしくは制御出力を実行後加圧できる条件が成立したときは、前記き電許可テーブルに該当するき電線の隣接する被制御所の方向にＯＮをセットし、加圧できない条件が存在する場合は、該当するき電線の隣接する被制御所の方向にＯＦＦをセットする判断処理を実行する
ことを特徴とする請求項１に記載の鉄道電力管理装置。
【請求項３】
き電の制御指令を受けた被制御所がき電区分所の場合は、隣接する被制御所からのき電許可テーブルのＯＮを条件にして、前記き電区分所がき電端末となるように被制御所の機器を制御し、き電の制御指令を受付けた隣接する被制御所の方向にき電要求テーブルにＯＮをセツトし、
き電の制御指令を受けた被制御所が補助き電区分所の場合は、隣接する被制御所のき電許可テーブルからのＯＮを条件にして、前記補助き電区分所がき電延長となるように被制御所の機器を制御し、隣接する被制御所からのき電要求テーブルのＯＮを条件にして、前記隣接する被制御所と反対側の隣接する被制御所の方向にき電要求テーブルにＯＮをセツトし、
き電の制御指令を受けた被制御所が変電所の場合は、被制御所がき電する能力があり、き電の制御指令と隣接する被制御所からのき電許可テーブルのＯＮ，き電要求テーブルのＯＮとを条件にして、前記変電所が加圧できるときにき電を開始する制御を実行する
ことを特徴とする請求項１または２に記載の鉄道電力管理装置。
【請求項４】
上流から延長の制御指令を受けたときもしくはき電端末の構成をとることが不可能な被制御所がき電区分所の場合または、前記変電所が受信した隣接する被制御所からのき電要求テーブルがＯＮにセットされない時間が設定時間以上であるときは、変電所をき電端末となるように被制御所を制御し、変電所が隣接する被制御所へのき電要求テーブルをＯＮにする指示を実行する
ことを特徴とする請求項１または２に記載の鉄道電力管理装置。
【請求項５】
補助き電区分所及び前記補助き電区分所に隣接する被制御所が制御指令を受けた場合には、隣接する被制御所からのき電許可テーブルがＯＮにセットされていることを条件として、前記補助き電区分所をき電端末となるように被制御所を制御し、き電端末となるように制御された被制御所から前記隣接する被制御所へき電要求テーブルをＯＮにする指示を実行する
ことを特徴とする請求項１または２に記載の鉄道電力管理装置。
【請求項６】
同じ機器の系統構成である被制御所群を種別単位として各制御所の系統状態を判断する
ことを特徴とする請求項１ないし５のいずれか一項に記載の鉄道電力管理装置。
【発明の詳細な説明】
【発明の属する技術分野】
【０００１】
本発明は、鉄道電力制御装置及び鉄道電力管理装置に係り、特に、容易に判断処理をするに好適な鉄道電力制御装置及び鉄道電力管理装置に関する。
【従来の技術】
【０００２】
従来、鉄道電力管理システムの鉄道電力管理装置の目的制御に対する判断処理は、対象としている全区間の被制御所の系統状態、または一定区間の被制御所の系統状態から与えられた制御指令の内容を判断し、被制御所の各機器に対して制御していた。
【０００３】
例えば、特開平６−１６０６９号公報に記載されているように、両隣りポストのき電系統構成能力及び加圧禁止の事情、自己ポストのき電構成能力及び加圧禁止の事情とを相互に突き合わせ、相互干渉によって加圧禁止領域を自動確定するとともに、上流からのき電指令に対応したき電系統を構成するものが提案されている。
【発明が解決しようとする課題】
【０００４】
上記従来の鉄道電力管理装置では、被制御所の変更及び追加をする事態が発生した場合、全区間もしくは一定区間の系統を判断する処理を変更する必要があるため、該当する被制御所のみならず他の被制御所の処理にも影響が及んでいた。
【０００５】
また、一定区間単位の系統状態を判断する処理の場合においても区間毎に系統が異なった場合、区間数分の系統状態を判断する処理が必要であった。
【０００６】
本発明の第１の目的は、目的制御に対する系統判断処理を被制御所単位でする鉄道電力制御装置及び鉄道電力管理装置を提供することである。
【０００７】
本発明の第２の目的は、被制御所とこの被制御所に隣接する被制御所との間で同期をとって制御する鉄道電力制御装置及び鉄道電力管理装置を提供することである。
【０００８】
本発明の第３の目的は、被制御所の改修及び追加が発生した場合、該当する被制御所の系統状態を判断する処理を変更することにより対応が可能な鉄道電力制御装置及び鉄道電力管理装置を提供することである。
【０００９】
本発明の第４の目的は、系統状態の判断処理を被制御所の種別単位で作成できる鉄道電力管理装置を提供することである。
【課題を解決するための手段】
【００１０】
本発明は、前記第１から第３の目的を達成するために、隣接する被制御所間の区間毎に上りき電線及び下りき電線のき電許可テーブルと隣接する被制御所間の区間毎にき電要求テーブル及び前記被制御所に配置された機器の開閉状態を示す２値テーブルを含む内部テーブルを有し、前記２値テーブルにより前記機器の開閉制御を実行するとともに前記き電許可テーブル及びき電要求テーブルのＯＮ／ＯＦＦ状態により複数の制御所の目的制御を実行する鉄道電力管理装置を提案する。
【００１１】
前記鉄道電力管理装置を構成するに際しては、以下の要素を付加できる。
【００１２】
（１）前記鉄道電力管理装置が制御指令を受けたとき、前記２値テーブルから該当する被制御所の系統状態を判断し、加圧できる条件が成立しているとき、もしくは制御出力を実行後加圧できる条件が成立したときは、前記き電許可テーブルに該当するき電線の隣接する被制御所の方向にＯＮをセットし、加圧できない条件が存在する場合は、該当するき電線の隣接する被制御所の方向にＯＦＦをセットする判断処理を実行する。
【００１３】
（２）き電の制御指令を受けた被制御所がき電区分所の場合は、隣接する被制御所からのき電許可テーブルのＯＮを条件にして、前記き電区分所がき電端末となるように被制御所の機器を制御し、き電の制御指令を受付けた隣接する被制御所の方向にき電要求テーブルにＯＮをセツトし、き電の制御指令を受けた被制御所が補助き電区分所の場合は、隣接する被制御所のき電許可テーブルからのＯＮを条件にして、前記補助き電区分所がき電延長となるように被制御所の機器を制御し、隣接する被制御所からのき電要求テーブルのＯＮを条件にして、前記隣接する被制御所と反対側の隣接する被制御所の方向にき電要求テーブルにＯＮをセツトし、き電の制御指令を受けた被制御所が変電所の場合は、被制御所がき電する能力があり、き電の制御指令と隣接する被制御所からのき電許可テーブルのＯＮ，き電要求テーブルのＯＮとを条件にして、前記変電所が加圧できるときにき電を開始する制御を実行する。
【００１４】
（３）上流から延長の制御指令を受けたときもしくはき電端末の構成をとることが不可能な被制御所がき電区分所の場合または、前記変電所が受信した隣接する被制御所からのき電要求テーブルがＯＮにセットされない時間が設定時間以上であるときは、変電所をき電端末となるように被制御所を制御し、変電所が隣接する被制御所へのき電要求テーブルをＯＮにする指示を実行する。
【００１５】
（４）補助き電区分所及び前記補助き電区分所に隣接する被制御所が制御指令を受けた場合には、隣接する被制御所からのき電許可テーブルがＯＮにセットされていることを条件として、前記補助き電区分所をき電端末となるように被制御所を制御し、き電端末となるように制御された被制御所から前記隣接する被制御所へき電要求テーブルをＯＮにする指示を実行する。
【００１６】
本発明は、前記第４の目的を達成するために、同じ機器の系統構成である被制御所群を種別単位として各制御所の系統状態を判断する鉄道電力管理装置を提案する。
【発明の実施の形態】
【００１７】
以下、本発明の１実施形態を図面に基づいて説明する。図１は本発明の１実施形態である鉄道電力管理装置の構成を示す全体構成図、図２は、目的制御実行時の動作処理を示すフローチャート、図３は、き電許可テーブル及びき電許可テーブルの構成を示す図、図４は初期状態のき電系統を示す図、図５は、き電許可テーブル作成時のき電系統を示す図、図６はき電線加圧状態のき電系統を示す図、図７は延長操作実行時の加圧き電系統を示す図、図８は複数区間を有するき電系統を示す図である。
【００１８】
図１において、表示装置１は、ネットワーク伝送路２に接続されており、鉄道電力管理装置３の制御及び監視対象である変電所，き電区分所，補助き電区分所（以下、これらを被制御所という。）の被制御機器、例えば、断路器，遮断機などの投入状態，開放状態などの各々の状態を表示したり、オペレータの操作に伴う制御入力指示を画面より入力し、入力した制御指示に従った制御指令をネットワーク伝送路２に出力するようになっている。ネットワーク伝送路２には、鉄道電力管理装置３が接続されており、この鉄道電力管理装置３は、上流からの制御指令、例えば、表示装置１からの制御指令もしくは表示装置１に内蔵されて周期的に起動されるスケジューラからの制御指令を通信装置５，７を経由して複数の制御所９に送信するようになっている。すなわち、鉄道電力管理装置３には、ネットワーク伝送路４を介して通信装置５が接続され、通信装置５にはネットワーク伝送路６を介して、複数の通信装置７が接続され、各通信装置７にはネットワーク伝送路８を介して各被制御所９が接続されている（なお、図１には、単一の通信装置７と被制御所９のみが示してある）。これら通信装置５，７は、鉄道電力管理装置３からの制御指令を中継して複数の被制御所９に送信し、また、各被制御所９で発生した機器の状態変化、制御した結果の応答信号を中継して鉄道電力管理装置３に送信するようになっている。通信装置７には、ネットワーク伝送路８を介して各被制御所９が接続されており、通信装置７は、通信装置５から制御指令を受信したときに、この制御指令を各被制御所９に出力し、各被制御所９から機器の状態に関する信号や制御した結果の応答信号を受信したときに、受信した信号を通信装置５に出力するようになっている。各被制御所９は、き電線の系統構成に属する断路器や遮断機等を備えており、制御指令に基づいて断路器や遮断機の投入，開放を制御するとともに、断路器や遮断機の投入，開放状態に関する状態信号を出力するとともに制御した結果の応答信号を出力するようになっている。
【００１９】
上記構成において、き電線に電力を供給するために、現状の系統状態と、与えられた制御指令の内容を判断し、各被制御所９の各機器に対して目的制御、例えば、列車を走らせる区間が指定されたときに、指定のき電線の区間に電力を供給するためのき電線の系統を構成するために、どの断路器や遮断機を投入するかを判断し、この判断結果に従って断路器や遮断機を投入する制御を実行するに際しては、図２に示す処理がなされる。
【００２０】
まず、表示装置１または周期的に起動されるスケジューラから制御指令を受けたときには（ステップ１００）、鉄道電力管理装置３において、全ての被制御所９の全ての機器、例えば、断路器，遮断機の現状を示す２値テーブルの状態を判定する（ステップ１０１）。すなわち、各被制御所９に配置された機器の投入または開放状態を２値テーブルに従って判定し、この判定結果に基づいて、き電許可テーブルにＯＮまたはＯＦＦを記録するための処理としてき電許可テーブル作成処理を実行する（ステップ１０２）。次に、き電許可テーブル作成後、き電許可テーブルの内容に基づいて、き電要求テーブルにＯＮまたはＯＦＦを記録するためのき電要求テーブル作成処理を実行し（ステップ１０３）、各被制御所９の機器に対して制御信号を出力する（ステップ１０４）。この後、各被制御所９におては、制御信号に基づいて各被制御所９の各機器を動作し、各機器の状態を受信したときに、この受信状態を各被制御所９から鉄道電力管理装置３に返信する。この後、鉄道電力管理装置３は、各被制御所９から各機器の状態を受信し（ステップ１０５）、状態変化が発生した場合は、２値テーブルを更新する（ステップ１０６）。この後、ステップ１０１に戻り、ステップ１０１からステップ１０６までの処理を繰り返すことで、き電許可テーブルとき電要求テーブルに各被制御所の状態に基づいたＯＮ・ＯＦＦ情報が記録される。
【００２１】
次に、図３を参照して、き電許可テーブル，き電要求テーブルの作成法を説明する。き電許可テーブル１００，１０１は、下りき電線，上りき電線について作成され、下りき電線，上りき電線にはそれぞれ下り方向，上り方向の欄が設けられている。き電要求テーブル１０２は、下りき電線，上りき電線について共有のテーブルとして設けられており、き電を要求する方向として、下り方向，上り方向の欄が設けられている。そしてき電許可テーブル１００，１０１、き電要求テーブル１０２の各欄には、各被制御所９と各被制御所９に隣接する被制御所９の１区間を一つの単位として、各区間の情報が記録されるようになっている。例えば、変電所Ａと補助き電区分所Ｂとの１区間を一つの単位として、また補助き電区分所Ｂとき電区分所Ｃとの１区間を一つの単位として、各区間に関する情報が
それぞれき電許可テーブル１００，１０１、き電要求テーブル１０２の各欄に記録されるようになっている。
【００２２】
具体的には、き電許可テーブル１００，１０１には、表示装置１、またはスケジューラからの制御指令を受けた被制御所９の回線であるき電線を加圧できる条件が成立しているとき、例えば、遮断機のみを有する場合、この遮断機は、通電状態においても投入または開放が可能であるため、加圧できる条件が成立しているとされ、この区間に関するき電許可テーブル１００，１０１にはＯＮがセットされる。一方、制御指令を受けた被制御所９の回線を加圧できない条件があるとき、例えば、被制御所９に属するき電線の中に断路器のみが設けられているときには、この断路器は、通常、通電状態では投入または開放動作ができないため、制御指令によってき電が指令されても、断路器がＯＦＦになっているときにはＯＦＦがセットされる。なお、ＯＦＦがセットされた後、制御信号によって断路器が投入されたときには、次の処理周期ではＯＮがセットされる。
【００２３】
さらに、下りき電線に対応したき電許可テーブル１００と、上りき電線に対応したき電許可テーブル１０１の各下り方向の欄には、変電所Ａから補助き電区分所Ｂに対して加圧できる条件が成立しているか否かに応じてＯＮ／ＯＦＦの情報がＡ〜Ｂの欄に記録され、補助き電区分所Ｂからき電区分所Ｃに対して加圧できる条件が成立しているか否かに応じてＯＮ／ＯＦＦに関する情報がＢ〜Ｃの欄に記録される。
【００２４】
逆に、き電許可テーブル１００とき電許可テーブル１０１の各上り方向の欄には、補助き電区分所Ｂから変電所Ａに対して加圧できる条件が成立しているか否かに応じてＯＮ／ＯＦＦの情報がＡ〜Ｂの欄に記録され、き電区分所Ｃから補助き電区分所Ｂに対して加圧できる条件が成立しているか否かに応じてＯＮ／ＯＦＦ情報がＢ〜Ｃの欄に記録される。そしてき電許可テーブル１００，１０１の下り方向と上り方向の欄がともにＯＮになったことを条件に、き電要求テーブル１０２の下り方向または上り方向の欄がＯＮにセットされるようになっている。き電要求テーブル１０２の下り方向の欄のうち、Ａ〜Ｂの欄には、変電所Ａから補助き電区分所Ｂに対してき電を要求しているときにＯＮがセットされ、Ｂ〜Ｃの欄には補助き電区分所Ｂからき電区分所Ｃに対してき電が要求されているときにＯＮがセットされる。逆に、き電要求テーブル１０２の上り方向の欄のうちＡ〜Ｂの欄には、補助き電区分所Ｂから変電所Ａに対してき電が要求されているときに、ＯＮがセットされ、Ｂ〜Ｃの欄には、き電区分所Ｃから補助き電区分所Ｂに対してき電が要求されているときにＯＮがセットされる。
【００２５】
ここで、被制御所９がき電区分所Ｃである場合、変電所Ａとき電区分所Ｃ間を加圧するための制御指令として、き電指令を受けたときには、き電区分所Ｃに属する機器の状態からき電許可テーブル１００，１０１の下り方向、上り方向の欄が全てＯＮになっていることを条件に、鉄道電力管理装置３は、き電区分所Ｃに属する被制御所９がき電端末となるように、制御信号を被制御所９に出力し、き電要求テーブル１０２のうちＢ〜Ｃの欄に、制御指令を受けた方向、すなわち上り方向か下り方向かのいずれかの欄にＯＮがセットされる。
【００２６】
また、表示装置１またはスケジューラから延長の制御指令を受けたとき及び断路器などの故障によってき電端末とすることが不可能なときには、被制御所９がき電延長となるように、被制御所９に制御信号が出力され、隣接する被制御所９に関するき電要求テーブル１０２の欄がＯＮになっていることと条件に、き電延長とされた被制御所９に関するき電要求テーブル１０２の欄にＯＮがセットされる。
【００２７】
また被制御所９が補助き電区分所Ｂの場合、表示装置１またはスケジューラから制御指令を受けたときに、補助き電区分所Ｂに関するき電許可テーブル１００，１０１の欄がＯＮにセットされていることを条件に、被制御所９をき電延長となるように、被制御所９に制御信号が出力され、補助き電区分所Ｂに隣接する被制御所９のき電要求テーブル１０２の欄がＯＮにセットされていることを条件に、き電延長とされた被制御所９に関するき電要求テーブル１０２の欄がＯＮにセットされる。
【００２８】
被制御所９に隣接する被制御所９のうち一方にのみ制御指令が入力されたとき、例えば、変電所Ａと補助き電区分所Ｂ間のうち一方にのみ制御指令としてき電指令が入力された場合、制御指令を受信した側の被制御所９は、き電許可テーブル１００，１０１の各欄がＯＮにセットされていることを条件として、他方の被制御所９がき電端末となるように被制御所９を制御して、き電要求テーブル１０２をＯＮにセットする。
【００２９】
また被制御所９が変電所の場合、例えば、変電所Ａの場合、被制御所９がき電する能力があるときは、上流からの制御指令と被制御所９に隣接する被制御所（補助き電区分所Ｂ）に関するき電許可テーブル１００，１０２の欄が全てＯＮになっていることを条件に、き電要求テーブル１０２の欄をＯＮにセットし、変電所Ａに属する機器に制御信号を出力してき電を開始する。一方、加圧できない条件にあるときには、変電所Ａに属する機器に制御信号を出力してき電を中止する。
【００３０】
また、被制御所９、例えば、変電所Ａが上流から制御指令を受けているが、隣接する被制御所（補助き電区分所Ｂ）に関するき電要求テーブル１０２の情報が設定された時間以上ＯＮにセットされていないときには、変電所Ａがき電端末となるように、変電所Ａに属する機器に制御信号を出力してき電要求テーブル１０２の欄をＯＮにセットする。また被制御所９にき電する能力がない場合は、被制御所９に隣接した被制御所９をき電端末となるように、隣接した被制御所９に制御信号を出力してき電要求テーブル１０２の欄をＯＮにセットする。
【００３１】
次に、図４〜図７を参照して、目的制御実行時のき電系統状態、き電許可テーブル，き電要求テーブルの作成例を説明する。なお、これらの例では、二つの変電所Ａ，変電所Ｅと、両変電所間に設置されたき電区分所Ｃ、変電所Ａとき電区分所Ｃとの間に設置された補助き電区分所Ｂ、変電所Ｅとき電区分所Ｃとの間に設置された補助き電区分所Ｄから構成されている場合を示している。また各被制御所間のき電線をＫ１〜Ｋ８で、変電所の母線をＬ１〜Ｌ４で示している。
【００３２】
図４は、変電所Ａと補助き電区分所Ｂ間，補助き電区分所Ｂとき電区分所Ｃ間，き電区分所Ｃと補助き電区分所Ｄ間，補助き電区分所Ｄと変電所Ｅ間のき電線を加圧する制御指令を実行する前の初期系統状態を示している。この状態では、き電許可テーブル１００，１０１、き電要求テーブル１０２の各欄にはＯＦＦがセットされている。また変電所Ａの母線Ｌ１，Ｌ２、変電所ＥのＬ３，Ｌ４は受電している状態にあり、変電所Ａと変電所Ｅはき電する能力がある状態にある。さらに、き電区分所Ｃに設置されている機器（断路器）Ｇ３，Ｈ３は投入状態にある場合を示しているが、機器Ｇ３，Ｈ３は投入状態になくてもよい。
【００３３】
次に、変電所Ａと補助き電区分所Ｂ間，補助き電区分所Ｂとき電区分所Ｃ間，き電区分所Ｃと補助き電区分所Ｄ間，補助き電区分所Ｄと変電所Ｅ間のき電線の上下き電線をともに加圧する制御指令（き電指令）が鉄道電力管理装置３に入力されると、鉄道電力管理装置３は、入力された制御指令と各被制御所９に属する機器の投入または開放状態を基にき電許可テーブル１００，１０１の作成を開始する。図５は各テーブル１００，１０１を作成した後の状態を示している。
【００３４】
まず、鉄道電力管理装置３は、変電所Ａと変電所Ｅ間に属するき電線を加圧する制御指令が入力されると、各被制御所に属する機器の投入または開放状態に基づいた２値テーブルを生成し、この２値テーブルに従ってき電許可テーブル１００，１０１の各欄に各被制御所に属する機器の状態を記録する。この場合、変電所Ａと変電所Ｅのうち下りき電線と上りき電線に接続された機器は遮断機Ｃ１，Ｄ１，Ａ２，Ｂ２であるため、これらの機器に接続されたき電線（回線）は加圧できる条件にある。また、き電区分所Ｃに属する機器（断路器）Ｇ３，Ｈ３は投入状態にあり、他の機器であるＥ３，Ｆ３は遮断機であるため、き電区分所Ｃに属する各き電線は加圧できる条件にある。この結果、き電許可テーブル１００，１０１のうちＡ〜Ｂ区間の下り方向（変電所Ａから補助き電区分所Ｂの方向）の欄にＯＮがセットされ、Ｂ〜Ｃ区間の上り方向（き電区分所Ｃから補助き電区分所Ｂの方向）の欄にＯＮがセットされ、Ｃ〜Ｄ間の下り方向、Ｄ〜Ｅ区間の上り方向の欄にはそれぞれＯＮがセットされる。
【００３５】
これに対して、補助き電区分所Ｂに属する機器Ｍ１，Ｎ１，Ｏ１，Ｐ１、補助き電区分所Ｄに属する機器Ｍ２，Ｎ２，Ｏ２，Ｐ２は、それぞれ断路器で構成され、制御指令入力時には開放状態となっているため、き電許可テーブル１００，１０１のうちＡ〜Ｂ区間の上り方向、Ｂ〜Ｃ区間の下り方向、Ｃ〜Ｄ区間の上り方向、Ｄ〜Ｅ区間の下り方向の欄にはＯＦＦがセットされたままにある。このため、鉄道電力管理装置３は、制御指令入力時には、補助き電区分所Ｂと補助き電区分所Ｄに属する機器Ｍ１，Ｎ１，Ｏ１，Ｐ１，Ｍ２，Ｎ２，Ｏ２，Ｐ２を投入するための制御を実行する。そしてこれらの機器が投入されると、これらの機器に接続された各回線は加圧できる条件となるため、補助き電区分所Ｂと補助き電区分所Ｄに関するき電許可情報として、き電許可テーブル１００，１０１のうちＡ〜Ｂ区間の上り方向、Ｂ〜Ｃ区間の下り方向、Ｃ〜Ｄ区間の上り方向、Ｄ〜Ｅ区間の下り方向の欄にＯＮがセットされる。
【００３６】
次に、図６を参照して、き電許可テーブル１００，１０１を作成した後の処理として、き電要求テーブル１０２を作成する処理を説明する。図６は、変電所Ａと補助き電区分所Ｂ間、補助き電区分所Ｂとき電区分所Ｃ間、き電区分所Ｃと補助き電区分所Ｄ間、補助き電区分所Ｄと変電所Ｅ間に対してき電を開始した状態を示している。
【００３７】
まず、鉄道電力管理装置３は、各区間にき電を開始するに先だって、き電許可テーブル１００，１０１を参照して、き電区分所Ｃに関するき電要求テーブル１０２の処理をする。この場合、き電区分所Ｃを被制御所９として被制御所９に隣接する被制御所、すなわちＢ補助き電区分所と補助き電区分所Ｄの状態を判定してき電区分所Ｃをき電端末に制御する。すなわち、き電許可テーブル１００，１０１のうち補助き電区分所Ｂと補助き電区分所Ｄの状態を示す情報として、き電許可テーブル１００，１０１のＢ〜Ｃ区間の下り方向がＯＮに、Ｃ〜Ｄ区間の上り方向がＯＮにセットされ、き電延長とする必要がないため、き電区分所Ｃをき電端末に制御する。さらに、き電許可テーブル１００，１０１のＢ〜Ｃ区間の下り方向及び上り方向がともにセットされていることを条件に、き電要求テーブル１０２の上り方向のＢ〜Ｃ区間にＯＮをセットする。すなわち、き電区分所Ｃから変電所Ａに対してき電を要求するために、Ｂ〜Ｃ区間の上り方向にＯＮをセットする。また、き電許可テーブル１００，１０１のＣ〜Ｄ区間の下り方向及び上り方向の欄がともにＯＮになっていることを条件に、き電要求テーブル１０２のＣ〜Ｄ区間の下り方向の欄にＯＮをセットする。すなわち、き電区分所Ｃから変電所Ｅに対してき電を要求するために、Ｃ〜Ｄ区間の下り方向にＯＮをセットする。
【００３８】
次に、補助き電区分所Ｂと補助き電区分所Ｄの状態から補助き電区分所Ｂと補助き電区分所Ｄに関するき電要求テーブル１０２を処理する。この場合、補助き電区分所Ｂを被制御所９として、被制御所９に隣接する被制御所、すなわち変電所Ａとき電区分所Ｃの状態をとしてき電許可テーブル１００，１０１の状態を判定する。このとき、き電許可テーブル１００，１０１のＡ〜Ｂ区間の下り方向及び上り方向がＯＮに、Ｂ〜Ｃ区間の下り方向及び上り方向がＯＮになっており、機器Ｍ１，Ｎ２，Ｏ１，Ｐ１が投入状態にあるのでき電延長となる。さらに隣接する被制御所９からのき電要求テーブル１０２の内容がＯＮのとき、この例の場合は、き電区分所Ｃからのき電要求テーブル１０２の欄（Ｂ〜Ｃ区間）がＯＮにセットされている。この結果、き電要求テーブル１０２のＢ〜Ｃ区間の上り方向がＯＮのとき、補助き電区分所Ｂから変電所Ａの方向に対して、き電を要求するために、き電要求テーブル１０２のＡ〜Ｂ区間の上り方向にＯＮをセットする。
【００３９】
補助き電区分所Ｄも同様に、被制御所９に隣接する被制御所９からのき電許可テーブル１００，１０１の内容を判定する。この場合、変電所Ｅとき電区分所Ｃに関するき電許可テーブル１００，１０１の欄がＯＮにセットされている。すなわち、き電許可テーブル１００，１０１のＣ〜Ｄ区間の下り方向及び上り方向がＯＮに、Ｄ〜Ｅ区間の下り方向及び上り方向がＯＮにセットされ、機器Ｍ２，Ｎ２，Ｏ２，Ｐ２が投入状態にあるので、き電延長となる。そして隣接する被制御所９（き電区分所Ｃ）からのき電要求テーブル１０２の内容がＯＮにセットされていることを条件に、すなわちき電要求テーブル１０２のＣ〜Ｄ区間の下り方向がＯＮのとき、補助き電区分所Ｄから変電所Ｅに対してき電を要求するために、き電要求テーブル１０２のＤ〜Ｅ区間の下り方向にＯＮをセットする。
【００４０】
次に、変電所Ａと変電所Ｅの状態を基に、変電所Ａと変電所Ｅに関するき電要求テーブル１０２を作成する。変電所Ａは、被制御所９としてき電能力があるので、被制御所９に隣接する被制御所９からのき電要求テーブル１０２の欄には、ＯＮがセットされている。この例の場合は、補助き電区分所Ｂからのき電許可テーブル１００，１０１のＯＮにセットされている。すなわち、き電許可テーブル１００，１０１のＡ〜Ｂ区間の上り方向がＯＮにセットされ、き電要求テーブル１０２のＡ〜Ｂ区間の上り方向がＯＮにセットされており、被制御所９として加圧できる条件にあるので、被制御所９である変電所Ａの機器（断路器）Ｈ１、機器（遮断機）Ｃ１に対して投入の制御をする。各機器Ｈ１，Ｃ１が投入された状態になると、各被制御所９の下りき電線、上りき電線に対してき電が開始される。この場合、機器Ｍ１，Ｏ１，Ｇ３，Ｐ１，Ｎ１が投入状態にあり、機器Ｅ３，Ｆ３が開放状態にあるので、各き電線Ｋ１，Ｋ２，Ｋ３，Ｋ４が加圧状態となる。
【００４１】
一方、変電所Ｅは、被制御所９としてはき電能力があるので、被制御所９に隣接する被制御所９からの情報を示すき電許可テーブル１００，１０１の欄にＯＮがセットされる。この例の場合は、補助き電区分所Ｄの状態を示すき電許可テーブル１００，１０１の欄がＯＮにセットされる。すなわち、き電許可テーブル１００，１０１のＤ〜Ｅ区間の下り方向がＯＮにセットされ、き電要求テーブル１０２のＤ〜Ｅ区間の下り方向の欄にＯＮがセットされる。この結果、き電要求テーブル１０２のＤ〜Ｅ区間の下り方向の欄がＯＮにセットされ、被制御所９として加圧できる条件にあるので、被制御所９である変電所Ｅの機器Ｇ２，Ａ２に対して投入の制御をする。そして各機器Ｇ２，Ａ２が投入された状態となると、各被制御所９に対するき電が開始される。この場合、機器Ｏ２，Ｍ２，Ｈ３，Ｎ２，Ｐ２が投入状態であり、機器Ｅ３，Ｆ３が開放状態であるので、各き電線Ｋ５，Ｋ６，Ｋ７，Ｋ８が加圧状態となる。
【００４２】
このように、き電許可テーブル１００，１０１、き電要求テーブル１０２を用い、各テーブルのＯＮのセット状況を確認してき電の準備が完了した段階でき電できるので、各被制御所９に対して同期のとれたき電制御を実現できる。
【００４３】
次に、図７を参照して、き電延長処理を説明する。図７は、変電所Ａと補助き電区分所Ｂ間、補助き電区分所Ｂとき電区分所Ｃ間、き電区分所Ｃと補助き電区分所Ｄ間、補助き電区分所Ｄと変電所Ｅ間の上下き電線とともに、き電を開始する制御指令が実行された状態になった後、例えば、変電所Ａの点検が必要になり、変電所Ａを停止する場合、Ｃき電区所をき電端末から、図中の左方に延長する制御指令を実行したときのき電状態を示している。
【００４４】
き電延長処理を実行するに際しては、まず、き電要求テーブル１０２のＢ〜Ｃ区間の上り方向をＯＮからＯＦＦに、Ａ〜Ｂ区間の上り方向をＯＮからＯＦＦに変更する。この変更に伴って、被制御所９である変電所Ａの機器Ｈ１に対して開放の制御がなされる。き電要求テーブル１０２のＡ〜Ｂ区間の上り方向のＯＦＦが、設定時間以上であるとき、Ａ〜Ｂ区間の下り方向をＯＦＦからＯＮに変更し、Ｂ〜Ｃ区間の下り方向をＯＦＦからＯＮに変更し、被制御所９であるき電区分所Ｃの機器Ｅ３，Ｆ３に対して投入の制御がなされる。このとき、機器Ｅ３，Ｆ３が投入状態、機器Ｃ１が開放状態にあるので、変電所Ｅからき電された電力はき電線Ｋ７，Ｋ５，Ｋ３，Ｋ１を加圧し、さらに機器Ｇ２，Ｈ３，Ｇ３，Ｈ１を介してき電線Ｋ８，Ｋ６，Ｋ４，Ｋ２を加圧するので、変電所Ｅのき電が延長されて変電所Ａまで加圧された状態となる。
【００４５】
このように、本実施形態によれば、隣接する被制御所９の系統構成によらず、被制御所単位で系統の状態を判断できる。
【００４６】
また本実施形態によれば、被制御所単位で系統の状態を判断した場合でも、鉄道電力管理装置３の内部テーブルを用いているので、隣接する各被制御所９間で制御の同期をとることができる。さらに被制御所９の改修及び追加が発生した場合、該当する被制御所の系統状態を判断する処理を変更することにより対応できる。
【００４７】
次に、図８を参照して、本発明の他の実施形態を説明する。図８は、変電所数が３、き電区分所数が２、補助き電区分所数が５の複数区間を有するき電系統構成を示している。
図８において、き電構成より、変電所Ａ，変電所Ｅ，変電所Ｊは、機器構成が同一であるため、系統処理判断を同一化し、き電系統構成判断処理１で系統を判断できる。また補助き電区分所Ｂ、補助き電区分所Ｄ、補助き電区分所Ｆ、補助き電区分所Ｇ、補助き電区分所Ｉは、機器構成が同一であるため、き電系統判断処理２で系統を判断し、き電区分所Ｃ、き電区分所Ｈは、系統判断処理３で系統を判断できる。
【００４８】
このように、本実施形態においては、系統の判断処理を系統判断処理１，２，３の３つに分け、各系統処理をすることにより、複数区間を有するき電系統に対しても効率良く処理ができる。このように、系統状態を判断する処理は、被制御所の種別単位で作成することにより対応できる。
【発明の効果】
【００４９】
本発明によれば、被制御所単位で系統の判断処理ができるため、目的制御の判断処理の作成工数を大幅に低減できる。また被制御所の変更、追加などが発生した場合、該当する被制御所の系統判断処理の変更だけで対応が可能になる。
【図面の簡単な説明】
【００５０】
【図１】本発明の１実施形態である鉄道電力管理装置の全体構成を示す図である。
【図２】目的制御実行時の動作処理を説明するためのフローチャートである。
【図３】き電許可テーブル及びき電要求テーブルの構成を説明する図である。
【図４】初期状態のき電系統を説明する図である。
【図５】き電許可テーブル作成時のき電系統を説明する図である。
【図６】き電線加圧状態のき電系統を説明する図である。
【図７】き電延長実行時の加圧き電系統を説明する図である。
【図８】複数区間を有するき電系統を示す系統構成図である。
【符号の説明】
【００５１】
１  表示装置
２，４，６，８  ネットワーク伝送路
３  鉄道電力管理装置
５，７  通信装置
９  被制御所
１００，１０１  き電許可テーブル
１０２  き電要求テーブル
【図１】
0003613698.tif 000002
【図２】
0003613698.tif 000003
【図３】
0003613698.tif 000004
【図４】
0003613698.tif 000005
【図５】
0003613698.tif 000006
【図６】
0003613698.tif 000007
【図７】
0003613698.tif 000008
【図８】
0003613698.tif 000009